(57)【要約】【課題】より簡便に，菓子トレイやデザートカップに入れられた洋菓子，和菓子が紙箱内において滑らないようにする。【解決手段】洋菓子または和菓子１が置かれたまたは収納されたトレイまたはカップ２が収められる紙箱３内の底面部に，両面に粘着剤がそれぞれ設けられた滑り止めシール10の一方のシール面を貼り付ける。紙箱３内の底面部に貼り付けられた滑り止めシール10の他方のシール面の少なくとも一部に重ね合わせて，トレイまたはカップ２を載置する。紙箱３内で菓子１が置かれたトレイまたはカップ２が滑って紙箱３にぶつかったり，隣り合う菓子１同士がぶつかったりするのが防止される。【選択図】図１
2019099184.tif 000002
【特許請求の範囲】
【請求項１】
菓子トレイまたはデザートカップが収納される紙箱内の底面部に，両面に粘着剤が設けられた滑り止めシールの一方のシール面を貼り付け，
上記紙箱内の底面部に貼り付けられた滑り止めシールの他方のシール面の少なくとも一部に重ね合わせて菓子トレイまたはデザートカップを載置する，
菓子トレイまたはデザートカップの滑り防止方法。
【請求項２】
紙箱内に収納されるべき菓子トレイまたはデザートカップの底部に，両面に粘着剤が設けられた滑り止めシールの一方のシール面を貼り付け，
上記底部に滑り止めシールの一方のシール面が貼り付けられた菓子トレイまたはデザートカップを，紙箱内の底面部に載置する，
菓子トレイまたはデザートカップの滑り防止方法。
【請求項３】
上記滑り止めシールの両面に設けられた粘着剤の粘着力に差が設けられており，
粘着力の弱い粘着剤が設けられたシール面を，上記菓子トレイまたはデザートカップの底部に貼り付ける，
請求項１または２に記載の菓子トレイまたはデザートカップの滑り防止方法。
【請求項４】
薄片および上記薄片の両面のそれぞれに設けられた粘着剤を備える滑り止めシールと，
上記滑り止めシールの一方のシール面が貼り付けられた剥離台紙と，
上記滑り止めシールの他方のシール面に貼り付けられた剥離ライナーと，を備えている，
滑り止めシール・シート。
【請求項５】
上記滑り止めシールの両面に設けられた粘着剤の粘着力に差が設けられている，
請求項４に記載の滑り止めシール・シート。
【請求項６】
上記剥離ライナーに未接着の摘み部が設けられている，
請求項４または５に記載の滑り止めシール・シート。
【発明の詳細な説明】
【技術分野】
【０００１】
この発明は，ケーキ，タルト，パイ，ガトーショコラその他の洋菓子，羊羹，カステラ，鹿の子，求肥，きんつばその他の和菓子が載せられる菓子トレイ，またはプリン，ゼリー，ババロアその他の洋菓子，あんみつ，しるこ，ぜんざい，くずきり，寒天その他の和菓子が収納されるデザートカップの滑り防止方法および滑り止めシール・シートに関する。
【背景技術】
【０００２】
洋菓子店，和菓子店などのショーケースには様々な形状，大きさの洋菓子または和菓子（以下，洋菓子および和菓子を包括して「菓子」という）が陳列されて販売されている。専門店においては特に菓子は一つずつトレイに載せられて，またはデザートカップに入れられて販売されることが多い。
【０００３】
菓子がテイクアウトされる場合，一般にはテイクアウト用の紙箱内にトレイまたはカップごと菓子は収められ，菓子が収められた紙箱が顧客に渡される。菓子を収めたときに紙箱内には隙間が生じることが多く，紙箱内で菓子が滑って紙箱にぶつかったり，隣り合う菓子同士がぶつかったりするのを避けるために，筒状にした厚紙を用いて個々の菓子の周囲を囲い，菓子を保護することが行われている。
【０００４】
しかしながら，筒状にした厚紙で個々の菓子の周囲を囲うと，紙箱をあけたときに菓子の全体を見ることができない。
【０００５】
特許文献１は，菓子の移動を防止するために，紙箱の底面部の表面に滑り止め部材を設けたものを開示する。しかしながら，滑り止めを必要としない範囲（菓子が載せられていない範囲）にも滑り止め部材が設けられるので無駄が多く，紙箱の単価が確実に増えてしまう。
【先行技術文献】
【特許文献】
【０００６】
【特許文献１】特開２００７−７６７３１号公報
【発明の開示】
【０００７】
この発明は，より簡便に，トレイやカップに入れられた洋菓子，和菓子が紙箱内において滑らないようにすることを目的とする。
【０００８】
第１の発明による菓子トレイおよびデザートカップの滑り防止方法は，菓子トレイまたはデザートカップが収納される紙箱内の底面部に，両面に粘着剤が設けられた滑り止めシールの一方のシール面を貼り付け，上記紙箱内の底面部に貼り付けられた滑り止めシールの他方のシール面の少なくとも一部に重ね合わせて菓子トレイまたはデザートカップを載置するものである。
【０００９】
第２の発明による菓子トレイおよびデザートカップの滑り防止方法は，紙箱内に収納されるべき菓子トレイまたはデザートカップの底部に，両面に粘着剤が設けられた滑り止めシールの一方のシール面を貼り付け，上記底部に滑り止めシールの一方のシール面が貼り付けられた菓子トレイまたはデザートカップを，紙箱内の底面部に載置するものである。菓子トレイまたはデザートカップを載置したときに，滑り止めシールの他方のシール面が紙箱内の底面部に貼り付けられる。
【００１０】
菓子トレイまたはデザートカップが脚部を有するものであれば，脚部の底部に滑り止めシールは貼られる。
【００１１】
この発明によると，菓子トレイまたはデザートカップの底部と紙箱の底面部との間に滑り止めシールが挟まれる。滑り止めシールの両面には粘着剤が設けられているので，滑り止めシールによって菓子トレイまたはデザートカップは紙箱内の底面部に粘着される。紙箱の内部で菓子トレイまたはデザートカップが滑って紙箱にぶつかったり，菓子トレイに置かれたケーキ同士がぶつかったりすることを防止することができる。
【００１２】
一実施態様では，上記滑り止めシールの両面に設けられた粘着剤の粘着力に差が設けられており，粘着力の弱い粘着剤が設けられたシール面を，上記菓子トレイまたはデザートカップの底部に貼り付ける。菓子トレイまたはデザートカップを紙箱から取り出したときに，滑り止めシールを紙箱内に残す（紙箱の底面部に粘着されたままとする）ことができる。
【００１３】
この発明による滑り止めシール・シートは，薄片および上記薄片の両面のそれぞれに設けられた粘着剤を備える滑り止めシールと，上記滑り止めシールの一方のシール面が貼り付けられた剥離台紙と，上記滑り止めシールの他方のシール面に貼り付けられた剥離ライナーと，を備えている。
【００１４】
菓子トレイまたはデザートカップを紙箱内に収めるときに，滑り止めシール・シートから滑り止めシールを剥がし，剥離ライナーを剥がし，紙箱内の底面部と菓子トレイまたはデザートカップの底部との間に滑り止めシールを挟む。剥離ライナーは，滑り止めシールの一方のシール面を紙箱内の底面部に貼り付けた後に剥がしてもよいし，その逆でもよい。いずれにしても，剥離台紙から剥がされ，かつ剥離ライナーを剥がした滑り止めシールによって菓子トレイまたはデザートカップは紙箱内の底面部に粘着される。紙箱の内部で菓子トレイまたはデザートカップが滑って紙箱にぶつかったり，菓子トレイに置かれたケーキ同士がぶつかったりするのを防止することができる。
【００１５】
好ましくは，上記滑り止めシールの両面に設けられた粘着剤の粘着力に差が設けられている。粘着力の弱い粘着剤が設けられたシール面を上記菓子トレイまたはデザートカップの底部に貼り付け，粘着力の強い粘着剤が設けられたシール面を紙箱の底面部に貼り付ける。紙箱から菓子トレイまたはデザートカップを取り出したときに，滑り止めシールを紙箱に残す（紙箱の底面部に粘着されたままとする）ことができる。
【００１６】
一実施態様では，上記剥離ライナーに未接着（滑り止めシールの他方のシール面が貼り付けられていない）の摘み部が設けられている。未接着の摘み部を摘まんで剥離ライナーを引き剥がすのが容易になる。
【図面の簡単な説明】
【００１７】
【図１】トレイに置かれた菓子およびカップに入れられた菓子が紙箱内に収納されている様子を示している。
【図２】紙箱内に収納されている菓子の拡大斜視図である。
【図３】滑り止めシール・シートの拡大平面図である。
【図４】図３のIV−IV線に沿う断面図である。
【図５】（Ａ）は滑り止めシールの一部がトレイの底面に貼り付けられている様子を，（Ｂ）は滑り止めシールの全部がトレイの底面に貼り付けられている様子を，（Ｃ）はデザートカップの脚部に滑り止めシールが貼り付けられている様子を，それぞれ示す。
【図６】変形例の滑り止めシール・シートの拡大平面図である。
【実施例】
【００１８】
図１は複数の菓子（洋菓子または和菓子）が紙箱内に収められている様子を示している。図２は紙箱に収められている洋菓子を拡大して示している。
【００１９】
菓子１のそれぞれは，円形，長方形，正方形，三角形，ハート形，筒状といった様々な形状および大きさの菓子トレイまたはデザートカップ（以下，トレイまたはカップという）２に載せられ，または入れられた状態で店頭販売される。購入した菓子１をテイクアウトするとき，菓子１は１つの紙箱３内にトレイまたはカップ２ごと収められて顧客に渡される。
【００２０】
トレイまたはカップ２はＰＥＴ（ポリエチレンテレフタレート），ＰＳ（ポリスチレン）等の合成樹脂，表面に合成樹脂フィルム等を積層した紙等によってつくられる。トレイ２上またはカップ内に色とりどりにデコレーションされた菓子１が置かれるまたは入れられる。紙箱３内には菓子１とともに保冷剤が一緒に収められることもある。
【００２１】
菓子１が置かれたまたは入れられたトレイまたはカップ２の底部と紙箱３内の底面部との間に滑り止めシール10が挟まれている。
【００２２】
図３は滑り止めシール10が並べられた滑り止めシール・シート30を拡大して示している。図４は図３のIV−IV線に沿う滑り止めシール・シート30の断面図である。図４では厚さ方向がかなり強調して描かれている。
【００２３】
滑り止めシール10は，紙製の薄片11と，薄片11の両面（上下面）のそれぞれに設けられた（積層された）粘着剤12，13とを備える。粘着剤12の外面（図４における下面）に剥離台紙21が，粘着剤13の外面（図４における上面）に剥離ライナー22が，それぞれ貼り付けられている。
【００２４】
粘着剤12に面する剥離台紙21の面部（図４の剥離台紙21の上面）および粘着剤13に面する剥離ライナー22の面部（図４の剥離ライナー22の下面）には剥離層（たとえばシリコン樹脂）（図示略）が塗布されており，剥離荷重は小さい。他方，粘着剤12，13は滑り止めシール10の紙製薄片11にしっかりと粘着されている。このため滑り止めシール10を剥離台紙21から軽い力で剥がすことができる。剥離ライナー22も同様に軽い力で剥がすことができる。
【００２５】
滑り止めシール10は楕円形の一方の先端を短軸方向に切り欠いた形状を持つ（図２参照）。他方，滑り止めシール10を覆う剥離ライナー22は，おおよそ滑り止めシール10と同一形状を持つが，上記滑り止めシール10の切り欠かれた部分に被さるようにして未接着の方形の摘み部22ａがさらに設けられている。すなわち摘み部22ａの直下に滑り止めシール10は存在せず，したがって摘み部22ａの範囲には，滑り止めシール10の厚さ分の隙間が，剥離台紙21と剥離ライナー22の間に形成される。もっとも，滑り止めシール10の厚さはかなり薄い（典型的には数十μｍから数百μｍ）ので剥離台紙21から摘み部22ａまでの隙間もかなり狭い。
【００２６】
滑り止めシール10の両面の粘着剤12，13の層厚は同一ではなく，滑り止めシール10の下面（剥離台紙21がわ）の粘着剤12の層厚よりも，滑り止めシール10の上面（剥離ライナー22がわ）の粘着剤13の層厚が薄い。このため，滑り止めシール10の下面の粘着力が強く，上面の粘着力は弱い。粘着剤13には再剥離性粘着剤を用いてもよい。
【００２７】
顧客からの菓子１の注文を受けた店員は，ショーケースから菓子１をトレイまたはカップ２ごと取り出す。また，注文数に応じた大きさの紙箱３を組み立てる。紙箱３に菓子１を収める前に，滑り止めシール10が紙箱３内の底面部に貼られる。滑り止めシール・シート30から滑り止めシール10を剥がし，トレイまたはカップ２を載置すべき範囲に滑り止めシール10を貼る。粘着剤12が紙箱３の底面部に粘着される。次に剥離ライナー22を剥がし，滑り止めシール10上にトレイまたはカップ２を載置する。粘着剤13がトレイまたはカップ２の底部（脚部）と接する。上述のように剥離ライナー22には未接着の摘み部22ａが設けられているので，紙箱３の底面部に貼られた滑り止めシール10から剥離ライナー22を剥がすときに摘み部22ａをつまむことができ，剥離ライナー22を剥がしやすい。
【００２８】
滑り止めシール10は，トレイまたはカップ２が載置されるであろう紙箱３内の底面部のおおよその範囲に貼ればよい。図５（Ａ）に示すように，滑り止めシール10はトレイ２の底部からはみだしてもよく，図５（Ｂ）に示すようにトレイ２によって滑り止めシール10の全体が隠れてもよい。脚部を持つカップ２であれば，脚部と紙箱３の底面部との間に挟まれるように滑り止めシール10は貼られる。
【００２９】
滑り止めシール10によってトレイまたはカップ２は紙箱３内の底面部に粘着されるので，紙箱３の内部で菓子１が滑って移動することがない。紙箱３内で菓子１が紙箱３にぶつかったり，隣り合う菓子１同士がぶつかったりするのを防止することができる。
【００３０】
また，上述したよう滑り止めシール10は，トレイまたはカップ２の底部（脚部）に面する粘着剤13の粘着力の方が紙箱３内の底面部に面する粘着剤12の粘着力よりも弱いので，トレイまたはカップ２を掴んで紙箱３内の菓子１を取り出すときに，トレイまたはカップ２を滑り止めシール10から剥離させやすく，滑り止めシール10を紙箱３内に残して菓子１を取り出すことができる。滑り止めシール10や滑り止めシール10にくっついてやぶれた紙箱３は取り出されない。ショーケースに並べていたときと同じ状態のきれいな菓子１をトレイまたはカップ２とともに紙箱３から取り出すことができる。
【００３１】
図６は変形例の滑り止めシール10Ａが並べられた滑り止めシール・シート30Ａを拡大して示している。上述した滑り止めシール10とは，切欠きをもたずに楕円形である点が異なる。また，滑り止めシール10Ａを覆う剥離ライナー22Ａが滑り止めシール10Ａと同形の楕円形に形成されており，剥離ライナー22Ａの楕円短軸に沿って切込み25が形成されている点も異なる。剥離ライナー22Ａは切込み25によって２つに分割されている。
【００３２】
変形例の滑り止めシール10Ａは，紙箱３内の底面部ではなく，先にトレイまたはカップ２の底部（脚部）に貼り付け，滑り止めシール10Ａを貼り付けたトレイまたはカップ２を，紙箱３の底面部に載置するのに適している。剥離台紙21から剥がした滑り止めシール10Ａをトレイまたはカップ２の底部（脚部）に貼り付け，２枚の剥離ライナー22Ａのうちの一方または両方を剥がして紙箱３の底面部上に載置することで，トレイまたはカップ２は紙箱３内の底面部に滑らないように粘着される。
【符号の説明】
【００３３】
１  菓子
２  菓子トレイまたはデザートカップ
３  紙箱
10，10Ａ  滑り止めシール
11  紙製薄片
12，13  粘着剤
21  剥離台紙
22，22Ａ  剥離ライナー
22ａ  摘み部
30，30Ａ  滑り止めシール・シート
【図１】
2019099184.tif 000003
【図２】
2019099184.tif 000004
【図３】
2019099184.tif 000005
【図４】
2019099184.tif 000006
【図５】
2019099184.tif 000007
【図６】
2019099184.tif 000008